(57)【要約】【課題】極力、受信電波の復調においてパケット欠落を生じずに良好に地上ディジタル放送を受信することができる地上ディジタル放送受信装置を提供する。【解決手段】地上ディジタルチューナ２Ａ，２Ｂは、映像音声データを含む高周波ディジタル変調信号のうちから特定周波数の信号を取り出し、トランスポートストリーム（ＴＳ）を出力する。ＴＳ合成部１７は、前記二つの地上ディジタルチューナ２Ａ，２Ｂの両方が動作するとき、例えば、基本的に地上ディジタルチューナ２Ａからのトランスポートストリームを受け取り、このトランスポートストリームに受信エラーを生じたパケットが存在する場合に、当該パケットを破棄すると共に同一のパケットを地上ディジタルチューナ２Ｂが出力するトランスポートストリームから取り出す。【選択図】図１
2008022085.tif 000002
【特許請求の範囲】
【請求項１】
地上ディジタル放送波を受信してトランスポートストリームを出力する複数のチューナと、前記複数のチューナが同一のトランスポートストリームを取得するように制御する制御手段と、前記トランスポートストリームからパケットを分離するデマルチプレクサと、分離されたパケットをデコードするデコーダと、前記複数のチューナのうちの一つのチューナから出力されるトランスポートストリームを前記デマルチプレクサに供給することを基本とし、前記トランスポートストリームのなかでパケットの欠落を生じた場合に、当該パケットと同一のパケットを他のチューナから取得し、この同一のパケットを前記一つのチューナが出力するトランスポートストリームに組み込んで前記デマルチプレクサに供給するトランスポートストリーム合成部と、を備えたことを特徴とする地上ディジタル放送受信装置。
【請求項２】
請求項１に記載の地上ディジタル放送受信装置において、前記制御手段は、前記一つのチューナによるトランスポートストリームの生成で前記パケットの欠落が生じていないとき又はエラー訂正の程度が所定の基準値以下であるときに、前記他のチューナの動作を停止させることを特徴とする地上ディジタル放送受信装置。
【請求項３】
請求項２に記載の地上ディジタル放送受信装置において、前記制御手段は、前記一つのチューナによるトランスポートストリームの生成処理で前記エラーの訂正の程度が所定の基準を超えたとの判断を得たときに、前記他のチューナを再び動作させることを特徴とする地上ディジタル放送受信装置。
【請求項４】
請求項１乃至請求項３のいずれかに記載の地上ディジタル放送受信装置において、前記制御手段は、ユーザ操作に基づいて前記複数のチューナに異なる周波数の放送を受信させることを特徴とする地上ディジタル放送受信装置。
【請求項５】
請求項１乃至請求項４のいずれかに記載の地上ディジタル放送受信装置において、前記制御手段は、地上ディジタル放送から取得した付加情報に基づいて、同一のトランスポートストリームを取得するべく、前記複数のチューナに異なる周波数の放送を受信させることを特徴とする地上ディジタル放送受信装置。
【請求項６】
請求項１乃至請求項５のいずれかに記載の地上ディジタル放送受信装置において、前記複数のチューナの受信特性を異ならせ、前記一つのチューナの受信状態が不良でも前記他のチューナの受信状態が良好となり得るようにしたことを特徴とする地上ディジタル放送受信装置。
【請求項７】
請求項６に記載の地上ディジタル放送受信装置において、一つのアンテナが前記複数のチューナで共用されることを特徴とする地上ディジタル放送受信装置。
【請求項８】
請求項１乃至請求項５のいずれかに記載の地上ディジタル放送受信装置において、前記複数のチューナの受信特性は同じであり、各チューナには指向性がそれぞれ異なるように専用のアンテナが接続されていることを特徴とする地上ディジタル放送受信装置。
【請求項９】
請求項１乃至請求項８のいずれかに記載の地上ディジタル放送受信装置において、前記一つのチューナは前記他のチューナに比べて消費電力が小さいことを特徴とする地上ディジタル放送受信装置。
【請求項１０】
請求項１乃至請求項９のいずれかに記載の地上ディジタル放送受信装置において、前記制御手段は、前記複数のチューナのエラー訂正の頻度を比較し、このエラー訂正の頻度が小さい方を前記一つのチューナとすることを特徴とする地上ディジタル放送受信装置。
【発明の詳細な説明】
【技術分野】
【０００１】
この発明は、地上ディジタル放送受信装置に関する。
【背景技術】
【０００２】
地上ディジタル放送を受信する受信装置は、ＯＦＤＭ復調部を有し、受信電波からトランスポートストリーム（ＴＳ）を復調するチューナを備え、前記トランスポートストリームからパケット（エレメンタリストリーム）を分離し、前記パケットをデコードすることで映像音声を出力する。そして、従来より、特に移動体用受信装置においては、受信コンディションの悪化などに対応するために、複数のアンテナを搭載するとともに最適なアンテナを選択する制御技術が提案されている（特許文献１参照）。
【特許文献１】特開２００６−１１５００５号公報
【発明の開示】
【発明が解決しようとする課題】
【０００３】
しかしながら、上記従来の技術では、最適なアンテナを選択するための制御装置が必要になる。なお、地上ディジタル放送用のチューナを複数搭載した機器が提案されている。このような機器においては、例えば、一つのチューナを視聴用に用い、他のチューナを録画用に用いたり、或いは、ピクチャインピクチャ機能によって二つの番組を２画面表示することが行われるだけである。
【０００４】
この発明は、上記の事情に鑑み、極力、受信電波の復調においてパケット欠落を生じずに良好に地上ディジタル放送を受信することができる地上ディジタル放送受信装置を提供することを目的とする。
【課題を解決するための手段】
【０００５】
この発明の地上ディジタル放送受信装置は、上記の課題を解決するために、地上ディジタル放送波を受信してトランスポートストリームを出力する複数のチューナと、前記複数のチューナが同一のトランスポートストリームを取得するように制御する制御手段と、前記トランスポートストリームからパケットを分離するデマルチプレクサと、分離されたパケットをデコードするデコーダと、前記複数のチューナのうちの一つのチューナから出力されるトランスポートストリームを前記デマルチプレクサに供給することを基本とし、前記トランスポートストリームのなかでパケットの欠落を生じた場合に、当該パケットと同一のパケットを他のチューナから取得し、この同一のパケットを前記一つのチューナが出力するトランスポートストリームに組み込んで前記デマルチプレクサに供給するトランスポートストリーム合成部と、を備えたことを特徴とする。
【０００６】
上記の構成であれば、前記トランスポートストリームでパケットの欠落を生じた場合には、当該パケットと同一のパケットを他のチューナから取得するので、極力、受信電波の復調においてパケット欠落を生じずに良好に地上ディジタル放送を受信することができる。
【０００７】
上記構成の地上ディジタル放送受信装置において、前記制御手段は、前記一つのチューナによるトランスポートストリームの生成で前記パケットの欠落が生じていないとき又はエラー訂正の程度が所定の基準値以下であるときに、前記他のチューナの動作を停止させることとしてもよい。かかる構成であれば、省電力化が図れる。かかる構成において、前記制御手段は、前記一つのチューナによるトランスポートストリームの生成処理で前記エラーの訂正の程度が所定の基準を超えたとの判断を得たときに、前記他のチューナを再び動作させるのがよい。
【０００８】
これら構成の地上ディジタル放送受信装置において、前記制御手段は、ユーザ操作に基づいて前記複数のチューナに異なる周波数の放送を受信させることとしてもよい。また、前記制御手段は、地上ディジタル放送から取得した付加情報に基づいて、同一のトランスポートストリームを取得するべく、前記複数のチューナに異なる周波数の放送を受信させることとしてもよい。
【０００９】
これら構成の地上ディジタル放送受信装置において、前記複数のチューナの受信特性を異ならせ、前記一つのチューナの受信状態が不良でも前記他のチューナの受信状態が良好となり得るようにしてもよい。この構成において、一つのアンテナが前記複数のチューナで共用されることとしてもよい。
【００１０】
これら構成の地上ディジタル放送受信装置において、前記複数のチューナの受信特性は同じであり、各チューナには指向性がそれぞれ異なるように専用のアンテナが接続されていてもよい。
【００１１】
これら構成の地上ディジタル放送受信装置において、前記一つのチューナは前記他のチューナに比べて消費電力が小さいのがよい。
【００１２】
これら構成の地上ディジタル放送受信装置において、前記制御手段は、前記複数のチューナのエラー訂正の頻度を比較し、このエラー訂正の頻度が小さい方を前記一つのチューナとすることとしてもよい。
【発明の効果】
【００１３】
この発明によれば、極力、受信電波の復調においてパケット欠落を生じずに良好に地上ディジタル放送を受信することができるという効果を奏する。
【発明を実施するための最良の形態】
【００１４】
以下、この発明の実施形態を図１及び図２に基づいて説明する。図１には、地上ディジタル放送受信装置としてＴＶ機能付き携帯電話３０を示している。
【００１５】
アンテナ１Ａ，１Ｂは地上放送局から送られてくるディジタル放送信号を受信する。地上ディジタルチューナ２Ａ，２Ｂは、映像音声データを含む高周波ディジタル変調信号のうちから特定周波数の信号を取り出す。また、チューナ２Ａ，２Ｂは、それぞれ、ＯＦＤＭ（直交周波数多重方式）復調回路、逆インタリーブ回路、誤り訂正回路などを備えることにより、選択したディジタル変調信号を復調してトランスポートストリーム（ＴＳ）を出力する。なお、前記誤り訂正回路でパケットの訂正が不能であった場合を、以下、受信エラー或いはパケット欠落と表現することとする。
【００１６】
ＴＳ合成部１７は、前記二つの地上ディジタルチューナ２Ａ，２Ｂの両方が動作するとき、例えば、基本的に地上ディジタルチューナ２Ａからトランスポートストリームを受け取り、このトランスポートストリームに受信エラーを生じたパケットが存在する場合に、当該パケットを破棄すると共に同一のパケットを地上ディジタルチューナ２Ｂが出力するトランスポートストリームから取り出すように構成されている。その動作内容については、後で詳述する。
【００１７】
ＭＰＥＧ−ＴＳデコーダ分離回路（以下、単にデコーダという）３は、前記ＴＳ合成部１７から出力されたトランスポートストリームを、ＭＰＥＧ２（Ｍｏｖｉｎｇ  Ｐｉｃｔｕｒｅ  Ｅｘｐｅｒｔｓ  Ｇｒｏｕｐ２）或いはＨ．２６４のビデオストリーム、オーディオストリーム、データ放送データ、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離（デマルチプレクス）する。ＡＶデコーダ部はビデオストリームに対してデコードを行うビデオデコーダ、オーディオストリームに対してデコードを行うオーディオデコーダから成る。ビデオデコーダから出力される映像データは映像処理部４に出力され、オーディオデコーダから出力される音声データは音声処理部５に出力される。また、データ放送データ（ＢＭＬ(Broadcast Makeup Language)ファイル）はデータ放送処理部（ＢＭＬエンジン）６によって処理される。
【００１８】
映像処理部４は、デコーダ３から出力された映像データを受け取ってＤ／Ａ変換等を行い、映像信号を生成する。また、映像処理部４はＯＳＤ（オンスクリーンディスプレイ機能）を有し、マイコン（マイクロコンピュータ）１３から出力指示された文字情報や画像情報、或いは、データ放送処理部６から出力される文字情報や画像情報に基づく映像を前記映像データに重畳する。音声処理部５は、デコーダ３から出力された音声データを受け取って右（Ｒ）音データ及び左（Ｌ）音データを生成する。
【００１９】
映像信号を受け取ったドライバ７はディスプレイ（例えば、液晶表示パネル等）１１を駆動する。音声データはＤ／Ａ変換アンプ８を経てアナログ信号に変換されてスピーカ１２或いは図示しないヘッドホン等に入力される。
【００２０】
メモリ（ＲＡＭ、ＥＥＰＲＯＭ、フラッシュメモリ、ＲＯＭ等）１４には、各種プログラムやデータなどが格納される。ＴＶ機能付き携帯電話３０の電源ＯＮ時に、マイコン（マイクロコンピュータ）１３は、ＲＯＭに格納されているプログラムやデータをＲＡＭに展開し、ＲＡＭ上のプログラムを実行する。このプログラムには、ＵＳＢインターフェイス２０、ＬＡＮインターフェイス１８を制御するドライバやプロトコルスタックが含まれる。
【００２１】
操作部１５のキーを操作すると、そのキーに対応した指令を意味する信号がマイコン１３に供給される。ＵＳＢインターフェイス２０にはＵＳＢメモリ２１を装着することができる。ＵＳＢメモリ２１には、例えば受信した映像音声データなどを格納することができる。携帯電話部１６はマイク１６ａ及びスピーカ１６ｂを備えており、携帯電話通信処理を実行する。
【００２２】
次に、マイクロコンピュータ１３による地上ディジタルチューナ２Ａ，２Ｂの制御内容及びＴＳ合成部１７の動作内容について説明していく。
【００２３】
（１）マイクロコンピュータ１３は、操作部１５の例えばＴＶボタンがユーザによって押下されると、地上ディジタルチューナ２Ａ，２Ｂの両方を起動し、両方に同一のトランスポートストリームの取得を命じる。
【００２４】
（２）地上ディジタルチューナ２Ａ，２Ｂには、トランスポートストリーム（ＴＳ）中のＴＳパケット（以下、単にパケットと記す）に受信エラー（パケット欠落）があったことを示すトランスポート・エラー・インディケーターが備えられている。ＴＳ合成部１７は、前記トランスポート・エラー・インディケーターを監視し、受信エラーがない場合、当該パケットをデコーダ３に出力する。一方、パケットに受信エラーがある場合には、受信エラーを生じたパケットと同一のパケットを地上ディジタルチューナ２Ｂから取得する。ＴＳ合成部１７は、例えば、チューナ２Ａとチューナ２Ｂの両方が出力するパケットを合成するマルチプレクス機能及び前記パケットを一時的に保持するバッファを備えて成り、前記合成を前記受信エラーが生じたときにだけ行うようにする。
【００２５】
（３）ＴＳ合成部１７は、以下のようにして同一のパケットを得る。ＴＳ合成部１７は、地上ディジタルチューナ２Ａが出力するパケットと地上ディジタルチューナ２Ｂが出力するパケットとの一致を確認したとき、それ以降入力された各ストリームのパケットの数をカウントしておく。そして、ＴＳ合成部１７は、地上ディジタルチューナ２Ａが出力するパケットに受信エラーが生じたとき、そのときのカウント数を把握し、地上ディジタルチューナ２Ｂから同一のパケット（前記一致を確認したパケットから前記カウント数だけ後のパケット）を取得してデコーダ３に与える。また、ＴＳ合成部１７は、受信エラーを生じたパケットと同一のパケットを地上ディジタルチューナ２Ｂから取得できなかったときには、ＮＵＬＬパケットをデコーダ３に与える。なお、一致確認用のパケットとして、ＰＣＲ（program clock reference ）を含むパケットを利用している。前記ＰＣＲは２３３ms以内に再送することが推奨されている上に、値が常に変わるため、パケットが同一か否かを確認しやすい。この場合、ＴＳ合成部１７は、ＰＣＲ判定部及びカウンタを備えておく（図１参照）。
【００２６】
（４）他の一致確認方法としては、エラーを生じたパケットの前後のパケットを比較する方法がある。この場合、ＴＳ合成部１７は、パケットのビット配列を判断する機能（例えば、排他的論理和回路など）を備えておく。例えば、地上ディジタルチューナ２Ａが、パケットＡ１，パケットＡ２，パケットＡ３のごとく並ぶパケットを出力し、このうちパケットＡ２にエラーが生じているとする。一方、地上ディジタルチューナ２Ｂが出力するパケットＢ１のビット配列がパケットＡ１のビット配列に一致し、パケットＢ３のビット配列がパケットＡ３のビット配列に一致したとすると、ＴＳ合成部１７は、エラーを生じたパケットＡ２と同一のパケットはパケットＢ２であると判断する。この方法では、直接的にエラーパケットと同一のパケットを見つけ出すことができ、パケット数をカウントするカウンタは必要としない。
【００２７】
（５）更に、他の一致確認方法として、パケットのＰＩＤと連続性指標（continuity counter）が一致したパケットを地上ディジタルチューナ２Ｂから取得する方法がある。この場合、ＴＳ合成部１７は、ＰＩＤと連続性指標の判定機能を備えておく。同一のＰＩＤを持つパケットには、その連続番号を示す前記連続性指標が付されており、或るＰＩＤで且つ或る値の番号を有するものは唯一であるから、同一性判断が可能である。なお、ＴＳ合成部１７は、これら一致確認方法の全てを実行してもよいし、いずれか一つ又は複数を実行してもよい。
【００２８】
（６）マイクロコンピュータ１３は、地上ディジタルチューナ２Ａ，２Ｂからエラー訂正頻度を示す情報を受け取っており、この情報によりエラー訂正頻度が少ない（所定の閾値以下）と判断したときには、例えば、地上ディジタルチューナ２Ｂの動作を停止する。トランスポートストリームの伝送においては、パケットごとにリード・ソロモン符号が付加されており、１８８バイトの主パケットに１６バイトの前記符号が付加されるため、１パケットは２０４バイトで伝送されることになる。誤りが２０４バイト中の８バイト以内であれば訂正可能である。訂正可能であるパケットはエラーパケット（欠落パケット）ではない。
【００２９】
なお、地上ディジタルチューナ２Ａ，２Ｂのうちエラー訂正頻度が低い方の動作を維持し、エラー訂正頻度が高い方の動作を停止することとしてもよい。仮に、地上ディジタルチューナ２Ａのエラー訂正頻度の方が地上ディジタルチューナ２Ｂのそれよりも高いなら、地上ディジタルチューナ２Ａの動作が停止されることになり、一つのチューナは地上ディジタルチューナ２Ｂとなる。
【００３０】
（７）マイクロコンピュータ１３は、動作中の地上ディジタルチューナのエラー訂正頻度が所定の閾値よりも高くなったときには、停止していた地上ディジタルチューナを再度動作させる。
【００３１】
（８）地上ディジタルチューナの動作と停止を前記エラー訂正頻度の値で決定することに限定されない。例えば、前記エラー訂正頻度の値が前記所定の閾値未満であっても、エラー訂正頻度の上昇率が所定の傾き（基準）を超えたときに、停止していた地上ディジタルチューナを再度動作させることとしてもよい。また、地上ディジタルチューナの動作と停止を一つの閾値で行うのではなく、二つの閾値を設定しておくことにより、地上ディジタルチューナの動作と停止にヒステリシスを持たせるようにしてもよい。また、エラー訂正頻度（１パケット内のエラーを生じたバイト数等）ではなく、エラーを生じたパケットの割合（例えば、１０パケット中の何個のパケットでエラーを生じたか等）で上述した処理を行うこととしてもよい。上述した割合、上述したエラー訂正の頻度、及び上昇率（変化）を含めて、エラー訂正の程度ということとする。
【００３２】
図２は地上ディジタルチューナ２Ａ，２Ｂ及びＴＳ合成部１７によるトランスポートストリーム取得処理の一例を示したフローチャートである。放送受信においては両チューナ２Ａ，２Ｂを動作させており、このうちチューナ２Ａが出力するトランスポートストリームからパケットを取得する（ステップＳ１）。そして、受信エラーが発生したかどうかを判断する（ステップＳ２）。受信エラーが発生していなければ、取得したパケットを出力用に採用し（ステップＳ３）、採用したパケットをデコーダ３に出力する（ステップＳ４）。受信エラーが発生した場合には、チューナ２Ｂで取得したパケットのなかに、前記欠落を生じたパケットと同一のパケットがあるかどうかを検索する（ステップＳ５）。同一のパケットが存在した場合には、前記欠落を生じたパケットに替えて、チューナ２Ｂで取得した同一パケットをエレメンタリストリームに挿入し（ステップＳ７）、デコーダ３に渡す（ステップＳ４）。同一のパケットが存在する場合には、前記パケットに替えてＮＵＬＬパケットをエレメンタリストリームに挿入し（ステップＳ８）、デコーダ３に渡す（ステップＳ４）。
【００３３】
地上ディジタルチューナ２Ａ，２Ｂが同一のパケットを取得するには、同一周波数の放送波を受信すればよい。ただし、地上ディジタルチューナ２Ａ，２Ｂが受信する周波数が異なっていても同一のパケットを取得することは可能である。地上ディジタル放送では、放送エリア拡大のため、主放送局と異なる周波数で同一のトランスポートストリームを中継局が送出している場合がある。ユーザが所望の放送と同一のトランスポートストリームを送出している他のチャンネル（周波数）を知っているのであれば、ユーザ自身が例えば地上ディジタルチューナ２Ｂの受信周波数を上記他のチャンネルに合わせてもよい。また、例えば、地上ディジタル放送の付加情報であるＮＩＴ（network information table ）の地上分配システム記述子内には、トランスポートストリームを送出する送信設備が使用する全ての周波数が記述されているので、マイクロコンピュータ１３は、前記ＮＩＴを用いて例えば地上ディジタルチューナ２Ｂの受信周波数を設定することも可能である。
【００３４】
地上ディジタルチューナ２Ａ，２Ｂの特性が全く同じであっても、アンテナ１Ａ，１Ｂの指向性が異なっていれば、一方のチューナでパケットエラーを生じ、他方のチューナではパケットエラーを生じないということが起こりうる。また、その逆に、一つのアンテナをチューナ２Ａ，２Ｂで共用したとしても、地上ディジタルチューナ２Ａ，２Ｂの受信特性が異なっていれば、一方のチューナでパケットエラーを生じ、他方のチューナではパケットエラーを生じないということが起こりうる。チューナの受信特性としては、例えば、受信感度、アナログ妨害性能、マルチパス性能、高速移動性能（ドップラーシフト補償性能）などを上げることができる。例えば、受信感度は良いけれども、アナログ妨害性能は低いチューナと、受信感度は幾分劣るけれども、アナログ妨害性能が高いチューナとを備えているのであれば、一方のチューナでパケットエラーを生じ、他方のチューナではパケットエラーを生じないということが起こりうる。勿論、更に、それぞれのチューナが専用のアンテナを別々に備えてもよい。
【００３５】
仮に、前記チューナ２Ａ，２Ｂの受信特性が同じであって一つのアンテナを共用するとした場合でも、各チューナが配置される場所が幾分異なれば、各チューナの近傍に配置される各回路が発するノイズは定常的或いは非定常的に異なることがあるため、一方のチューナでパケットエラーを生じ、他方のチューナではパケットエラーを生じないということが起こりうる。
【００３６】
なお、上述したような相違の他に、更に消費電力が互いに異なるチューナを採用してもよい。受信コンディションが良好であるときに、消費電力が小さい方のチューナを用いることとすれば、受信装置の省電力化が図れる。また、受信コンディションが良好であるときに、チューナ２Ａ，２Ｂで異なるチャンネル（トランスポートストリーム）を受信し、一方を視聴して他方を記録したり、両方を記録することもできる。この場合、ＴＳ合成部１７は、両トランスポートストリームを例えば１パケットごとに交互にデコーダ３に供給すればよい。
【００３７】
上述した例では、ＴＶ機能付き携帯電話３０を示したが、この発明にかかる地上ディジタル放送受信装置は、車載型或いは固定設置型の受信装置としても適用可能である。
【図面の簡単な説明】
【００３８】
【図１】この発明の実施形態のＴＶ機能付き携帯電話を示したブロック図である。
【図２】この発明の実施形態の処理内容を示したフローチャートである。
【符号の説明】
【００３９】
１Ａ，１Ｂ    アンテナ
２Ａ，２Ｂ    チューナ
３      ＭＰＥＧ−ＴＳデコーダ分離回路（デコーダ）
７      ＴＳ合成部
１３    マイコン（マイクロコンピュータ）
１４    メモリ
１５    操作部
３０    ＴＶ機能付き携帯電話
【図１】
2008022085.tif 000003
【図２】
2008022085.tif 000004